(57)【要約】      （修正有）【課題】効率よく活用できる加熱調理器具を提供する。【解決手段】電気炊飯器の外釜と、炊飯用内鍋と、圧力鍋を組み合わせる。【選択図】図１
0003161032.tif 000002
【実用新案登録請求の範囲】
【請求項１】
電気炊飯器の外釜・炊飯用内なべ・圧力なべの３点セット。
加熱器具は外釜が１つ、なべは炊飯用内なべ・圧力なべの２つ。
（圧力なべは、同外釜・電磁調理器・ガス等の直火で使用できるもの。付記１）
（炊飯器の外ぶたは、炊飯用のみ使用し、取り付け取りはずしができるようにする。付記２）
（安全な製品を製る。付記３）
【請求項２】
蒸し物用・ゆで物用の持ち手付き穴あき器具と蒸し物用の穴あき台のセット。
【請求項３】
持ち手よりも、下がったなべぶた。
【考案の詳細な説明】
【技術分野】
【０００１】  本案は、加熱用外釜１つ・内なべ（炊飯用内なべ・圧力なべ）２つの３点セットです。（圧力なべは、同外釜・電磁調理器・ガス等の直火で、使用可能なもの。）
（別売付属品として、煮込用ふた、落としぶた《市販品も可》・ゆで蒸し物用器具と蒸し物用台。）
【背景技術】
【０００２】  電気炊飯器の外釜は、炊飯用内なべのみで使用している。
【先行技術文献】
【特許文献】
【０００３】
【非特許文献】
【０００４】
【考案の概要】
【考案が解決しようとする課題】
【０００５】  調理用加熱器具やなべを、効率よく活用する。
【課題を解決するための手段】
【０００６】  多くの人達が使用している電気炊飯器の外釜を、調理用加熱器具として、電気炊飯器の内なべと圧力なべの３点セットにする。
（圧力なべは、同外釜・電気調理器・ガス等の直火で使用できるものにする。）
【考案の効果】
【０００７】  炊飯器外釜は、熱伝導に無駄が少ない。調理器具の有効利用になる。
【図面の簡単な説明】
【０００８】
【図１】  外釜・炊飯用内なべ・圧力なべ  別売付属品
【考案を実施するための形態】
【０００９】  外釜と外ぶたと炊飯用内なべのセット、外釜と圧力なべのセットで調理する。
（スイッチは、外釜につけて、各々炊飯用スイッチ、圧力なべ用スイッチを使用する。）
（圧力なべは、同外釜・電磁調理器・ガス等の直火で使用可能なものにする。）
【実施例】
【００１０】  スイッチの色。電気炊飯器外釜に、炊飯用・圧力なべ用の２つのスイッチをつけて各々色別にする。（外釜の炊飯スイッチの色は、炊飯用内なべ外ぶたの色と同色にする。）
（外釜の圧力なべ用スイッチは、圧力なべの持ち手やつまみの色と同色にする。）【００１１】  圧力なべのふたにつけるなべ内の圧力調整ピンは、調理中又は調理後なべ内の圧力を下げる時にはずれない飛ばないように、安全に製る。【００１２】  圧力なべのふたの開閉は、なべの持ち手とふたの持ち手を合わせるとしっかりと閉まり、一定の位置にふたをずらすと開くようにして、安全に製る。【００１３】  圧力なべのスイッチは、高圧・低圧・保温・調理時間等の設定ができるようにする。【００１４】  圧力なべの煮込み用のふきこぼれしにくいふたや落としぶたや蒸し物・ゆでる器具は、別売り付属品にする。（落としぶたは、市販品も使用できる。）【００１５】  圧力なべの使用説明書や調理テキストには、電磁調理器やガス器具等で調理する場合の火力と時間の範囲を明記して、活用しやすいようにする。【００１６】  ゴムパッキンを使う場合は、加熱調理をしても材質の臭いがしないものを使う。【００１７】  外釜の内側は、汚れが見えて落ちやすい材質・色にする。
【産業上の利用可能性】
【００１８】  電気炊飯器製造販売会社・圧力なべ製造販売会社と契約をする。
（実用新案登録後に、数社と契約したいと考えている。）
【符号の説明】
【００１９】  １  外釜ふた（炊飯スイッチと同色）
２  外釜
３  炊飯スイッチ
４  圧力なべスイッチ
５  外ぶたと外釜の取り付け用ふたの部分（炊飯時に使用）
６、外釜と外ぶたの取り付け用の外釜の部分（炊飯時に使用）
７、炊飯用内なべふた
８、炊飯用内なべ
９、圧力なべふた
１０、圧力調整用おもり兼空気穴
１１、なべとふたのかみ合わせのふた部分
１２、圧力なべの持ち手（外釜の圧力なべ用スイッチと同色）
１３、なべとふたをかみ合わせるなべ部分
１４、別売り付属品  煮込み用のふた（ふきこぼれしないように持ち手より下げる。）
１５、別売り付属品  ふたの空気穴
１６、別売り付属品  蒸し物・ゆで物用の穴あき器具（ゆでる場合は、なべ底まで下げる。）
１７、別売り付属品  持ち手（使用時は、内側に下げる。）
１８、別売り付属品  蒸し物用の台、穴あきのセルクル型（１６、穴あき器具を、上にのせて蒸す。）
１９、圧力なべのなべ部分
〔付記〕炊飯に使用するのは、１、２、３、７、８です。
圧力なべ調理に使用するのは、２、４、９、１９です。
【図１】
0003161032.tif 000003
【手続補正書】
【提出日】平成21年12月8日(2009.12.8)
【手続補正１】
【補正対象書類名】実用新案登録請求の範囲
【補正対象項目名】全文
【補正方法】変更
【補正の内容】
【実用新案登録請求の範囲】
【請求項１】
調理用器具の機能と数を効率よく安全に活用することを特徴とする本案の基本の品物は、電気炊飯器の外釜・炊飯用内なべ・圧力なべの３点セットです。
加熱器具は、外釜が１つ、なべは炊飯用内なべ・圧力なべの２つです。使用時の組み合わせは、炊飯用が加熱器具である外釜（図２）・炊飯用内なべ（図８）内ぶた（図７）・炊飯用外ぶた（図１）・炊飯用スイッチ（図３）、圧力なべ用が、加熱器具が外釜（図２）・圧力なべ（図１９）とふた（図９）・圧力なべ用スイッチ（図４）です。
（付記１  圧力なべは、同外釜と電磁調理器・ガス等の直火で使用できるもの。）
（付記２  安全な製品を製る。）
（付記３  炊飯用の外ぶたは、炊飯用のみ使用し、取り付け取りはずしができるもの。）
【請求項２】
調理用器具の機能と数を効率よく安全に活用することを特徴とする本案の別売り付属品として、蒸し物用ゆで物用の持ち手（図１７）付き穴あき器具（図１６）と蒸し物用の穴あき台（図１８）のセット。
【請求項３】
持ち手よりも、なべのふちよりも下がったなべぶた（図１４）。これも、調理用器具の機能と数を効率よく安全に活用することを特徴とする本案の別売り付属品として。
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
機能と数を効率よく安全に活用することを特徴とする本案の基本の物品は、加熱器具である電気炊飯器の外釜・炊飯用内鍋・同外釜や電磁調理器やガス等の直火でも使用可能な圧力鍋・この３点セットの加熱調理器具。
【請求項２】
機能と数を効率よく安全に活用することを特徴とする本案の別売り付属品として、鍋と組み合わせて使う蒸し物用、ゆで物用の持ち手付き穴あき器具と穴あき台。
【請求項３】
機能と数を効率よく安全に活用することを特徴とする本案の別売り付属品として、持ち手付きで、鍋の上端より数センチ下方の鍋ぶた。
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
機能と数を効率よく安全に活用することを特徴とする本案の基本の物品は、加熱器具である電気炊飯器の外釜と、炊飯用内鍋と、同外釜や電磁調理器やガスコンロや直火で使用可能な圧力鍋の、３点セットの加熱調理器具。
【請求項２】
機能と数を効率よく安全に活用することを特徴とする本案の請求項１の別売り付属品として、鍋と組み合わせて使う蒸し物用・ゆで物用の持ち手付き穴あき器具と穴あき台のセット。
【請求項３】
機能と数を効率よく安全に活用することを特徴とする本案の請求１の別売り付属品として、持ち手付きで鍋の上端より３から５センチ下方の鍋ぶた。